【手続補正書】
【提出日】平成27年2月4日(2015.2.4)
【手続補正１】
【補正対象書類名】特許請求の範囲
【補正対象項目名】全文
【補正方法】変更
【補正の内容】
【特許請求の範囲】
【請求項１】
グループ通信呼における呼情報を報告する方法であって、
複数のメンバーデバイスを有する呼グループに対するグループ通信呼を確立するステップと、
前記複数のメンバーデバイスのうちの少なくとも1つのターゲットメンバーデバイスを追跡される対象に対応するものとして識別するステップと、
前記グループ通信呼の先頭から開始して、前記グループ通信呼に対応する通信の呼コンテンツを記憶するステップと、
前記少なくとも1つのターゲットメンバーデバイスが前記グループ通信呼に参加したと判断するステップと、
少なくとも1つのクエリを転送して、前記グループ通信呼に参加している前記少なくとも1つのターゲットメンバーデバイスに基づいて、前記少なくとも1つのターゲットメンバーデバイスが前記グループ通信呼に参加する前または前記少なくとも1つのターゲットメンバーデバイスが前記グループ通信呼を離れた後に得られた前記グループ通信呼に関連する情報を法執行機関が所望するかどうかを判断するステップと、
前記少なくとも1つのクエリに対する応答を受信するステップと、
前記応答に基づいて、前記記憶された呼コンテンツを管理するステップと
を含む方法。
【請求項２】
前記呼コンテンツが、呼シグナリング、音声コンテンツ、および媒体コンテンツのうちの1つまたは複数を含む、請求項1に記載の方法。
【請求項３】
前記管理するステップが、前記情報が所望されていることを前記応答が示すときに、前記法執行機関に、前記少なくとも1つのターゲットメンバーデバイスが前記グループ通信呼に参加する前または前記少なくとも1つのターゲットメンバーデバイスが前記グループ通信呼を離れた後に記憶された前記呼コンテンツを送信するステップを含む、請求項1に記載の方法。
【請求項４】
前記管理するステップが、前記少なくとも1つのターゲットメンバーデバイスが前記グループ通信呼に参加する前に記憶された呼シグナリングおよび音声コンテンツを削除し、記憶する前記ステップを中止するステップを含む、請求項1に記載の方法。
【請求項５】
前記グループ通信呼に参加している前記少なくとも1つのターゲットメンバーデバイスに基づいて、前記呼グループにおける1つまたは複数のメンバーデバイスに関連するグループ呼情報を配信するステップをさらに含む、請求項1に記載の方法。
【請求項６】
前記グループ呼情報が、前記呼グループに対応するメンバーデバイスまたは対応するユーザの識別情報、フロアアービトレーション情報、どのメンバーデバイスが通話しているかの識別情報、前記グループ通信呼に参加したメンバーデバイスの識別情報、前記グループ通信呼を離れたメンバーデバイスの識別情報、および、音声パケットのうちの1つまたは複数を含む、請求項5に記載の方法。
【請求項７】
前記少なくとも1つのクエリが、前記少なくとも1つのターゲットメンバーデバイスが前記グループ通信呼に参加する前に得られた前記グループ通信呼に関連する情報を前記法執行機関が所望するかどうかを判断するための第1のクエリと、前記少なくとも1つのターゲットメンバーデバイスが前記グループ通信呼を離れた後に得られた前記グループ通信呼に関連する情報を前記法執行機関が所望するかどうかを判断するための第2のクエリとを含み、前記方法が、
前記少なくとも1つのターゲットメンバーデバイスが前記グループ通信呼を離れたと判断するステップと、
前記グループ通信呼を離れる前記少なくとも1つのターゲットメンバーデバイスに基づいて、前記第2のクエリを転送するステップと
をさらに含む、請求項1に記載の方法。
【請求項８】
前記少なくとも1つのターゲットメンバーデバイスから収集された非グループ通信呼情報を呼傍受構成要素に送信するステップをさらに含む、請求項1に記載の方法。
【請求項９】
前記非グループ通信呼情報が、前記グループ通信呼に対応する通信の呼シグナリングおよび音声コンテンツとは異なるデータ呼情報を含む、請求項8に記載の方法。
【請求項１０】
前記非グループ通信呼情報が、前記グループ通信呼に参加した後に前記ターゲットデバイス上でアクセスされる1つまたは複数のアプリケーションに関連するデータを含む、請求項8に記載の方法。
【請求項１１】
前記法執行機関に、前記少なくとも1つのターゲットメンバーデバイスが前記グループ通信呼に参加した後に記憶された前記呼コンテンツを送信するステップをさらに含む、請求項1に記載の方法。
【請求項１２】
前記グループ通信呼の完了時に、前記グループ通信呼に対応する通信の前記呼コンテンツを削除するステップをさらに含む、請求項1に記載の方法。
【請求項１３】
グループ通信呼における呼情報を報告するためのネットワーク装置であって、
複数のメンバーデバイスを有する呼グループに対するグループ通信呼を確立するように構成されたグループ通信セットアップ構成要素と、
前記複数のメンバーデバイスのうちの少なくとも1つのターゲットメンバーデバイスを追跡される対象に対応するものとして識別し、
前記グループ通信呼の先頭から開始して、前記グループ通信呼に対応する通信の呼コンテンツを記憶し、
前記少なくとも1つのターゲットメンバーデバイスが前記グループ通信呼に参加したと判断し、
少なくとも１つのクエリを転送して、前記グループ通信呼に参加している前記少なくとも1つのターゲットメンバーデバイスに基づいて、前記少なくとも1つのターゲットメンバーデバイスが前記グループ通信呼に参加する前または前記少なくとも1つのターゲットメンバーデバイスが前記グループ通信呼を離れた後に得られた前記グループ通信呼に関連する情報を法執行機関が所望するかどうかを判断し、
前記クエリに対する応答を受信し、
前記応答に基づいて、前記記憶された呼コンテンツを管理する
ように構成された呼傍受構成要素と
を備えるネットワーク装置。
【請求項１４】
前記呼コンテンツが、呼シグナリング、音声コンテンツ、および媒体コンテンツのうちの1つまたは複数を含む、請求項13に記載のネットワーク装置。
【請求項１５】
前記管理することが、前記情報が所望されていることを前記応答が示すときに、前記法執行機関に、前記少なくとも1つのターゲットメンバーデバイスが前記グループ通信呼に参加する前または前記少なくとも1つのターゲットメンバーデバイスが前記グループ通信呼を離れた後に記憶された前記呼コンテンツを送信することを含む、請求項13に記載のネットワーク装置。
【請求項１６】
前記管理することが、前記少なくとも1つのターゲットメンバーデバイスが前記グループ通信呼に参加する前に記憶された呼シグナリングおよび音声コンテンツを削除し、記憶することを中止することを含む、請求項13に記載のネットワーク装置。
【請求項１７】
前記呼傍受構成要素が、前記グループ通信呼に参加している前記少なくとも1つのターゲットメンバーデバイスに基づいて、前記グループ通信呼における1つまたは複数のメンバーデバイスに関連するグループ呼情報を配信するようにさらに構成される、請求項13に記載のネットワーク装置。
【請求項１８】
前記グループ呼情報が、前記呼グループに対応するメンバーデバイスまたは対応するユーザの識別情報、フロアアービトレーション情報、どのメンバーデバイスが通話しているかの識別情報、前記グループ通信呼に参加したメンバーデバイスの識別情報、前記グループ通信呼を離れたメンバーデバイスの識別情報、および、音声パケットのうちの1つまたは複数を含む、請求項17に記載のネットワーク装置。
【請求項１９】
前記少なくとも1つのクエリが、前記少なくとも1つのターゲットメンバーデバイスが前記グループ通信呼に参加する前に得られた前記グループ通信呼に関連する情報を前記法執行機関が所望するかどうかを判断するための第1のクエリと、前記少なくとも1つのターゲットメンバーデバイスが前記グループ通信呼を離れた後に得られた前記グループ通信呼に関連する情報を前記法執行機関が所望するかどうかを判断するための第2のクエリとを含み、前記呼傍受構成要素が、
前記少なくとも1つのターゲットメンバーデバイスが前記グループ通信呼を離れたと判断し、
前記グループ通信呼を離れる前記少なくとも1つのターゲットメンバーデバイスに基づいて、前記第2のクエリを転送する
ようにさらに構成される、請求項13に記載のネットワーク装置。
【請求項２０】
前記呼傍受構成要素が、前記少なくとも1つのターゲットメンバーデバイスから収集された非グループ通信呼情報を前記呼傍受構成要素に送信するようにさらに構成される、請求項13に記載のネットワーク装置。
【請求項２１】
前記非グループ通信呼情報が、前記グループ通信呼に対応する通信の呼シグナリングおよび音声コンテンツとは異なるデータ呼情報を含む、請求項20に記載のネットワーク装置。
【請求項２２】
前記非グループ通信呼情報が、前記グループ通信呼に参加した後に前記ターゲットデバイス上でアクセスされる1つまたは複数のアプリケーションに関連するデータを含む、請求項20に記載のネットワーク装置。
【請求項２３】
前記呼傍受構成要素が、前記法執行機関に、前記少なくとも1つのターゲットメンバーデバイスが前記グループ通信呼に参加した後に記憶された前記呼コンテンツを送信するようにさらに構成される、請求項13に記載のネットワーク装置。
【請求項２４】
前記呼傍受構成要素が、前記グループ通信呼の完了時に、前記グループ通信呼に対応する通信の前記呼コンテンツを削除するようにさらに構成される、請求項13に記載のネットワーク装置。
【請求項２５】
グループ通信呼における呼情報を報告するように構成された少なくとも1つのプロセッサであって、
複数のメンバーデバイスを有する呼グループに対するグループ通信呼を確立するための第1のモジュールと、
前記複数のメンバーデバイスのうちの少なくとも1つのターゲットメンバーデバイスを追跡される対象に対応するものとして識別するための第2のモジュールと、
前記グループ通信呼の先頭から開始して、前記グループ通信呼に対応する通信の呼コンテンツを記憶するための第3のモジュールと、
前記少なくとも1つのターゲットメンバーデバイスが前記グループ通信呼に参加したと判断するための第4のモジュールと、
少なくとも1つのクエリを転送して、前記グループ通信呼に参加している前記少なくとも1つのターゲットメンバーデバイスに基づいて、前記少なくとも1つのターゲットメンバーデバイスが前記グループ通信呼に参加する前または前記少なくとも1つのターゲットメンバーデバイスが前記グループ通信呼を離れた後に得られた前記グループ通信呼に関連する情報を法執行機関が所望するかどうかを判断するための第5のモジュールと、
前記少なくとも1つのクエリに対する応答を受信するための第6のモジュールと、
前記応答に基づいて、前記記憶された呼コンテンツを管理するための第7のモジュールと
を備えるプロセッサ。
【請求項２６】
コンピュータに、複数のメンバーデバイスを有する呼グループに対するグループ通信呼を確立させるための第1のセットのコードと、
前記コンピュータに、前記複数のメンバーデバイスのうちの少なくとも1つのターゲットメンバーデバイスを追跡される対象に対応するものとして識別させるための第2のセットのコードと、
前記コンピュータに、前記グループ通信呼の先頭から開始して、前記グループ通信呼に対応する通信の呼コンテンツを記憶させるための第3のセットのコードと、
前記コンピュータに、前記少なくとも1つのターゲットメンバーデバイスが前記グループ通信呼に参加したと判断させるための第4のセットのコードと、
前記コンピュータに、少なくとも1つのクエリを転送させて、前記グループ通信呼に参加している前記少なくとも1つのターゲットメンバーデバイスに基づいて、前記少なくとも1つのターゲットメンバーデバイスが前記グループ通信呼に参加する前または前記少なくとも1つのターゲットメンバーデバイスが前記グループ通信呼を離れた後に得られた前記グループ通信呼に関連する情報を法執行機関が所望するかどうかを判断させるための第5のセットのコードと、
前記コンピュータに、前記少なくとも1つのクエリに対する応答を受信させるための第6のセットのコードと、
前記コンピュータに、前記応答に基づいて、前記記憶された呼コンテンツを管理させるための第7のセットのコードと
を備える、コンピュータプログラム。
【請求項２７】
複数のメンバーデバイスを有する呼グループに対するグループ通信呼を確立するための手段と、
前記複数のメンバーデバイスのうちの少なくとも1つのターゲットメンバーデバイスを追跡される対象に対応するものとして識別するための手段と、
前記グループ通信呼の先頭から開始して、前記グループ通信呼に対応する通信の呼コンテンツを記憶するための手段と、
前記少なくとも1つのターゲットメンバーデバイスが前記グループ通信呼に参加したと判断するための手段と、
少なくとも1つのクエリを転送して、前記グループ通信呼に参加している前記少なくとも1つのターゲットメンバーデバイスに基づいて、前記少なくとも1つのターゲットメンバーデバイスが前記グループ通信呼に参加する前または前記少なくとも1つのターゲットメンバーデバイスが前記グループ通信呼を離れた後に得られた前記グループ通信呼に関連する情報を法執行機関が所望するかどうかを判断するための手段と、
前記少なくとも1つのクエリに対する応答を受信するための手段と、
前記応答に基づいて、前記記憶された呼コンテンツを管理するための手段と
を備える装置。
【請求項２８】
グループ通信呼における呼情報を報告するための方法であって、
複数のメンバーデバイスを有する呼グループに対する前記グループ通信呼を確立するステップと、
呼履歴に基づいて、前記呼グループのメンバーではないターゲットデバイスが前記グループ通信呼に参加する可能性があると判断するステップと、
前記ターゲットデバイスが前記グループ通信呼に参加する可能性があると前記判断したことに部分的に基づいて、前記グループ通信呼に対応する通信の呼コンテンツを記憶すると判断するステップと、
前記グループ通信呼の先頭から開始して、前記グループ通信呼に対応する通信の呼コンテンツを記憶するステップと、
前記ターゲットデバイスが前記グループ通信呼に参加したと判断するステップと、
少なくとも1つのクエリを転送して、前記グループ通信呼に参加している前記ターゲットデバイスに基づいて、前記ターゲットデバイスが前記グループ通信呼に参加する前または前記ターゲットデバイスが前記グループ通信呼を離れた後に得られた前記グループ通信呼に関連する情報を法執行機関が所望するかどうかを判断するステップと、
前記少なくとも1つのクエリに対する応答を受信するステップと、
前記応答に基づいて、前記記憶された呼コンテンツを管理するステップと
を含む方法。
【請求項２９】
呼履歴に基づいて、ターゲットデバイスが前記グループ通信呼に参加する可能性があると判断するステップが、
前記ターゲットデバイスが前記呼グループの少なくとも1つのメンバーと以前に通信したと判断するステップ
を含む、請求項28に記載の方法。
【請求項３０】
前記ターゲットデバイスに関連付けられた優先順位レベルを判断するステップをさらに含み、
前記グループ通信呼に対応する通信の呼コンテンツを記憶すると判断するステップが、前記優先順位レベルに基づいて、呼コンテンツを記憶すると判断するステップを含む、
請求項28に記載の方法。
【請求項３１】
前記ターゲットデバイスが高い優先順位レベルを有し、前記グループ通信呼に対応する通信の呼コンテンツを記憶すると判断するステップが、前記ターゲットデバイスが、前記呼グループの少なくとも1つのメンバーの既知の仲間と以前に通信したかどうかを判断するステップを含む、請求項30に記載の方法。
【請求項３２】
前記ターゲットデバイスが前記グループ通信呼に参加したと判断するステップが、前記ターゲットデバイスは前記グループ通信呼に肯定応答したが、通信チャネルは確立されていないと判断するステップを含む、請求項28に記載の方法。
【請求項３３】
グループ通信呼における呼情報を報告するための装置であって、
複数のメンバーデバイスを有する呼グループのための前記グループ通信呼を確立するように構成されたグループ通信セットアップ構成要素と、
呼履歴に基づいて、前記呼グループのメンバーではないターゲットデバイスが前記グループ通信呼に参加する可能性があると判断し、
前記ターゲットデバイスが前記グループ通信呼に参加する可能性があると前記判断したことに部分的に基づいて、前記グループ通信呼に対応する通信の呼コンテンツを記憶すると判断し、
前記グループ通信呼の先頭から開始して、前記グループ通信呼に対応する通信の呼コンテンツを記憶し、
前記ターゲットデバイスが前記グループ通信呼に参加したと判断し、
少なくとも1つのクエリを転送して、前記グループ通信呼に参加している前記ターゲットデバイスに基づいて、前記ターゲットデバイスが前記グループ通信呼に参加する前または前記ターゲットデバイスが前記グループ通信呼を離れた後に得られた前記グループ通信呼に関連する情報を法執行機関が所望するかどうかを判断し、
前記少なくとも1つのクエリに対する応答を受信し、
前記応答に基づいて、前記記憶された呼コンテンツを管理する
ように構成された呼傍受構成要素と
を備える装置。
【請求項３４】
前記呼傍受構成要素が、前記ターゲットデバイスが前記呼グループの少なくとも1つのメンバーと以前に通信したと判断するようにさらに構成される、請求項33に記載の装置。
【請求項３５】
前記呼傍受構成要素が、前記ターゲットデバイスに関連付けられた優先順位レベルを判断し、前記優先順位レベルに基づいて、呼コンテンツを記憶するようにさらに構成される、請求項33に記載の装置。
【請求項３６】
前記ターゲットデバイスが高い優先順位レベルを有し、前記グループ通信呼に対応する通信の呼コンテンツを記憶すると判断することが、前記ターゲットデバイスが、前記呼グループの少なくとも1つのメンバーの既知の仲間と以前に通信したかどうかを判断することを含む、請求項35に記載の装置。
【請求項３７】
前記ターゲットデバイスが前記グループ通信呼に参加したと判断することが、前記ターゲットデバイスは前記グループ通信呼に肯定応答したが、通信チャネルは確立されていないと判断することを含む、請求項33に記載の装置。
【請求項３８】
グループ通信呼における呼情報を報告するように構成された少なくとも1つのプロセッサであって、
複数のメンバーデバイスを有する呼グループに対するグループ通信呼を確立するための第1のモジュールと、
呼履歴に基づいて、前記呼グループのメンバーではないターゲットデバイスが前記グループ通信呼に参加する可能性があると判断するための第2のモジュールと、
前記ターゲットデバイスが前記グループ通信呼に参加する可能性があると前記判断したことに部分的に基づいて、前記グループ通信呼に対応する通信の呼コンテンツを記憶すると判断するための第3のモジュールと、
前記グループ通信呼の先頭から開始して、前記グループ通信呼に対応する通信の呼コンテンツを記憶するための第4のモジュールと、
前記ターゲットデバイスが前記グループ通信呼に参加したと判断するための第5のモジュールと、
少なくとも1つのクエリを転送して、前記グループ通信呼に参加している前記ターゲットデバイスに基づいて、前記ターゲットデバイスが前記グループ通信呼に参加する前または前記ターゲットデバイスが前記グループ通信呼を離れた後に得られた前記グループ通信呼に関連する情報を法執行機関が所望するかどうかを判断するための第6のモジュールと、
前記少なくとも1つのクエリに対する応答を受信するための第7のモジュールと、
前記応答に基づいて、前記記憶された呼コンテンツを管理するための第8のモジュールと
を備えるプロセッサ。
【請求項３９】
コンピュータに、複数のメンバーデバイスを有する呼グループに対するグループ通信呼を確立させるための第1のセットのコードと、
前記コンピュータに、呼履歴に基づいて、前記呼グループのメンバーではないターゲットデバイスが前記グループ通信呼に参加する可能性があると判断させるための第2のセットのコードと、
前記コンピュータに、前記ターゲットデバイスが前記グループ通信呼に参加する可能性があると前記判断したことに部分的に基づいて、前記グループ通信呼に対応する通信の呼コンテンツを記憶すると判断させるための第3のセットのコードと、
前記コンピュータに、前記グループ通信呼の先頭から開始して、前記グループ通信呼に対応する通信の呼コンテンツを記憶させるための第4のセットのコードと、
前記コンピュータに、前記ターゲットデバイスが前記グループ通信呼に参加したと判断させるための第5のセットのコードと、
前記コンピュータに、少なくとも1つのクエリを転送させて、前記グループ通信呼に参加している前記ターゲットデバイスに基づいて、前記ターゲットデバイスが前記グループ通信呼に参加する前または前記ターゲットデバイスが前記グループ通信呼を離れた後に得られた前記グループ通信呼に関連する情報を法執行機関が所望するかどうかを判断させるための第6のセットのコードと、
前記コンピュータに、前記少なくとも1つのクエリに対する応答を受信させるための第7のセットのコードと、
前記コンピュータに、前記応答に基づいて、前記記憶された呼コンテンツを管理させるための第8のセットのコードと
を備える、コンピュータプログラム。
【請求項４０】
複数のメンバーデバイスを有する呼グループに対するグループ通信呼を確立するための手段と、
呼履歴に基づいて、前記呼グループのメンバーではないターゲットデバイスが前記グループ通信呼に参加する可能性があると判断するための手段と、
前記ターゲットデバイスが前記グループ通信呼に参加する可能性があると前記判断したことに部分的に基づいて、前記グループ通信呼に対応する通信の呼コンテンツを記憶すると判断するための手段と、
前記グループ通信呼の先頭から開始して、前記グループ通信呼に対応する通信の呼コンテンツを記憶するための手段と、
前記ターゲットデバイスが前記グループ通信呼に参加したと判断するための手段と、
少なくとも1つのクエリを転送して、前記グループ通信呼に参加している前記ターゲットデバイスに基づいて、前記ターゲットデバイスが前記グループ通信呼に参加する前または前記ターゲットデバイスが前記グループ通信呼を離れた後に得られた前記グループ通信呼に関連する情報を法執行機関が所望するかどうかを判断するための手段と、
前記少なくとも1つのクエリに対する応答を受信するための手段と、
前記応答に基づいて、前記記憶された呼コンテンツを管理するための手段と
を備える装置。